(57)【要約】【課題】ホッパに収容されている固形殺菌剤がホッパでの収容中に好ましくない温度以上に温度上昇しないようにできる固形殺菌剤の溶解装置及び方法を提供することを課題とする。【解決手段】固形殺菌剤を収容するホッパ２と、ホッパから固形殺菌剤を受けて固形殺菌剤を切り出すフィーダ３と、フィーダから切り出された固形殺菌剤と清水供給ライン８からの清水との供給を受けて固形殺菌剤と清水を混合して混合液を生成する混合槽４とを有し、ホッパ２は、ホッパ内の固形殺菌剤の温度を測定する温度計２Ａが設けられているとともに、ホッパから固形殺菌剤の一部を抜き出して貯蔵する固形殺菌剤貯蔵装置１Ｂが接続されており、固形殺菌剤貯蔵装置１Ｂは、ホッパより収容容積の小さい貯蔵容器９と、ホッパと貯蔵容器とを開閉弁１１を介して接続する抜出管１０と、貯蔵容器へホッパ内の固形殺菌剤を吸引し抜き出する吸引機１３とを備えている。【選択図】図１
2019076821.tif 000002
【特許請求の範囲】
【請求項１】
固形殺菌剤を収容するホッパと、該ホッパから固形殺菌剤を受けて該固形殺菌剤を切り出すフィーダと、フィーダから切り出された固形殺菌剤と清水供給ラインからの清水との供給を受けて該固形殺菌剤と清水を混合して混合液を生成する混合槽とを有する固形殺菌剤の溶解装置において、
ホッパは、該ホッパ内の固形殺菌剤の温度を測定する温度計が設けられているとともに、該ホッパから固形殺菌剤の一部を抜き出して貯蔵する固形殺菌剤貯蔵装置が接続されており、
上記固形殺菌剤貯蔵装置は、貯蔵容器と、上記ホッパと該貯蔵容器とを開閉弁を介して接続する抜出管と、上記貯蔵容器へホッパ内の固形殺菌剤を吸引し抜き出す吸引機とを備えている、
ことを特徴とする固形殺菌剤の溶解装置。
【請求項２】
固形殺菌剤貯蔵装置は、ホッパより収容容積の小さい貯蔵容器が交換自在となっていることとする請求項１に記載の固形殺菌剤の溶解装置。
【請求項３】
固形殺菌剤貯蔵装置は、貯蔵容器の容器本体に取付け・取外し可能であり抜出管を接続するアダプタを備えることとする請求項２に記載の固形殺菌剤の溶解装置。
【請求項４】
固形殺菌剤貯蔵装置は、吸引機がアダプタに取り付けられていることとする請求項３に記載の固形殺菌剤の溶解装置。
【請求項５】
吸引機は、排気フィルタが設けられていることとする請求項４に記載の固形殺菌剤の溶解装置。
【請求項６】
固形殺菌剤の溶解装置は、さらに制御装置を有し、該制御装置は温度計からの測定値を受け、該測定値が所定温度よりも高いときに、開閉弁を開とし吸引機により貯蔵容器へホッパ内の固形殺菌剤を吸引し抜き出すこととする請求項１に記載の固形殺菌剤の溶解装置。
【請求項７】
固形殺菌剤を収容するホッパからフィーダで該固形殺菌剤を切り出し、切り出された固形殺菌剤と清水供給ラインからの清水とを混合槽で混合して混合液を生成する固形殺菌剤の溶解方法において、
ホッパ内の固形殺菌剤の温度を温度計で測定し、測定値が所定温度よりも高いときに、上記ホッパと貯蔵容器とを接続する抜出管に設けられた開閉弁を開とするとともに吸引機で上記ホッパから固形殺菌剤の一部を吸引し抜き出して貯蔵容器に貯蔵する、
ことを特徴とする固形殺菌剤の溶解方法。
【発明の詳細な説明】
【技術分野】
【０００１】
本発明は、固形殺菌剤を混合槽で水に溶解して殺菌剤溶解液を生成する固形殺菌剤の溶解装置及び方法に関する。
【背景技術】
【０００２】
かかる固形殺菌剤の溶解装置は、例えば、船舶のバラスト水処理装置に設けられる。船舶のバラスト水を殺菌剤により殺菌するバラスト水処理の代表例は、船外から取水した海水を濾過した後、濾過後の海水に酸化性物質を含有する殺菌剤を注入し、殺菌剤注入後の海水をバラストタンクに収容又は漲水する殺菌処理と、バラストタンクから取水した殺菌剤注入済みの海水に還元性物質を含有する還元剤を注入し、還元剤注入後の海水を船外へ排水する還元処理とに大別できる。殺菌処理としては、酸化性を有する遊離有効塩素を含有する殺菌剤水溶液を殺菌剤として使用することが知られている。該殺菌剤水溶液（殺菌剤溶解液）は、固形殺菌剤を水に溶解させることで用意することができる（特許文献１）。
【０００３】
特許文献１の固形殺菌剤の溶解装置は、固形殺菌剤を貯留するタンクと、該タンクの下部に設けられ一定量の固形殺菌剤を切り出すフィーダと、海水等の液体を外部から取り入れる液体供給ラインと、フィーダ及び液体供給ラインに接続された混合槽とを有している。フィーダからの固形殺菌剤と液体供給ラインからの液体とは該混合槽へ供給され、該混合槽内で固形殺菌剤が液体に溶解することにより殺菌剤溶解液が生成される。
【先行技術文献】
【特許文献】
【０００４】
【特許文献１】国際公開２０１４／００７１７１
【発明の概要】
【発明が解決しようとする課題】
【０００５】
固形殺菌剤として用いられる例として、酸化性物質である塩素化イソシアヌル酸塩は、常温、乾燥状態では安定しているが、少量の水と接触したり高温にさらされたりすると、反応が進みさらに反応熱が蓄積され、火災や有害ガス発生の危険性がある。また、固形殺菌剤の貯蔵量が大きいと、固形殺菌剤が貯蔵容器、例えばホッパ内の空気と接触する単位重量あたりの表面積が小さくなるため、放熱が少なくなり反応熱の発生量が固形殺菌剤から空気への放熱量を上回り、蓄熱により火災や有害ガスの発生につながることがある。
【０００６】
このような固形殺菌剤を殺菌剤溶解装置で溶解して船舶バラスト水処理装置に用いる場合、通常の使用においては、反応熱を発する発熱現象は生じないが、取り扱い方法や殺菌剤溶解装置の設置場所での環境の状況によっては反応熱を発することがある。
【０００７】
殺菌剤溶解装置の設置場所によっては、固形殺菌剤が安定であるための温度、湿度条件を逸脱することがあり、その場合には、反応熱が蓄積して固形殺菌剤は高温となってしまい、船員や設置場所が危険に晒される問題が生じる虞れがあった。固形殺菌剤を貯留する上記殺菌剤溶解装置のホッパには殺菌剤量を検知するレベル計が具備されているが、反応熱の蓄積を検知する手段がなかった。このように、深刻な状況になるまで発熱現象発生を検知することができないため、ホッパが破損したり、ホッパのエアベントなどから有害ガスが放出したりする問題が生じるリスクがあった。
【０００８】
添付図面の図２は、固形殺菌剤の一例としてジクロロイソシアヌル酸ナトリウム２水和物に、重量比で１０％の水を加え、５０℃の恒温状態で保存した際の殺菌剤温度の経時変化を示している。
【０００９】
図２に見られるように、固形殺菌剤に水を添加して発熱現象発生からしばらくの間は内部発熱と放熱が拮抗し、温度上昇が緩やかであるが、６０℃を超えると温度上昇速度が増加し、その後は急速に温度が上昇することが判る。
【００１０】
このように、急速に温度が上昇し、高温状態の固形殺菌剤を放置しておくと、上述のような火災や有害ガス発生の危険性が生じる。
【００１１】
本発明は、このような事情に鑑み、ホッパに収容されている固形殺菌剤がホッパでの収容中に好ましくない温度以上に温度上昇しないようにする固形殺菌剤の溶解装置及び方法を提供することを課題とする。
【課題を解決するための手段】
【００１２】
上述の課題は、本発明によると、次の構成の固形殺菌剤溶解装置そして固形殺菌剤溶解方法により解決される。かかる本発明において、次に掲げる用語の意味又は解釈は、区別して別段の説明を行う場合を除き、以下のとおり定義する。
【００１３】
「殺菌剤」とは、溶媒である水に溶解したとき、水溶液中での不均化により、殺菌作用を有する遊離有効塩素を放出する薬剤又はその遊離有効塩素を放出し得る物質を生成する薬剤であり、本発明においては「固形」である。「固形」とは、常温において粉末、顆粒又は錠剤の状態にあることである。本発明では、固形の殺菌剤を水に溶解して得た水溶液を殺菌剤として使用する。
【００１４】
「固形殺菌剤」の代表例は、トリクロロイソシアヌル酸、ジクロロイソシアヌル酸ナトリウム及びその水和物、ジクロロイソシアヌル酸カリウム等である。「塩素系殺菌剤」とは、遊離有効塩素が有する殺菌作用を利用して殺菌を行う薬剤であり、その代表例は、固形殺菌剤水溶液である。
【００１５】
＜固形殺菌剤溶解装置＞
固形殺菌剤を収容するホッパと、該ホッパから固形殺菌剤を受けて該固形殺菌剤を切り出すフィーダと、フィーダから切り出された固形殺菌剤と清水供給ラインからの清水との供給を受けて該固形殺菌剤と清水を混合して混合液を生成する混合槽とを有する固形殺菌剤の溶解装置において、
ホッパは、該ホッパ内の固形殺菌剤の温度を測定する温度計が設けられているとともに、該ホッパから固形殺菌剤の一部を抜き出して貯蔵する固形殺菌剤貯蔵装置が接続されており、
上記固形殺菌剤貯蔵装置は、貯蔵容器と、上記ホッパと該貯蔵容器とを開閉弁を介して接続する抜出管と、上記貯蔵容器へホッパ内の固形殺菌剤を吸引し抜き出す吸引機とを備えている、
ことを特徴とする固形殺菌剤の溶解装置。
【００１６】
このように構成される本発明の固形殺菌剤の溶解装置では、固形殺菌剤は混合槽で水に溶解されて殺菌剤溶解液を生成する。
【００１７】
かかる構成の本発明において、固形殺菌剤貯蔵装置は、ホッパより収容容積の小さい貯蔵容器が交換自在となっていることが好ましい。
【００１８】
予め定めた所定の貯蔵量だけ固形殺菌剤を貯蔵することとした貯蔵容器に固形殺菌剤を抜き出し所定の貯蔵量まで貯蔵したら、空の次の貯蔵容器に交換して貯蔵することとする。このようにすることにより、所定温度以上に昇温した固形殺菌剤をホッパから次々と抜き出すことができる。また、貯蔵容器の容積を小さくすることで、貯蔵容器内の固形殺菌剤は短時間で放熱が行われるようになるし、また貯蔵容器が小型であるが故に交換作業は簡単となる。
【００１９】
本発明において、固形殺菌剤貯蔵装置は、貯蔵容器の容器本体に取付け・取外し可能であり抜出管を接続するアダプタを備えることが好ましい。こうすることで、貯蔵容器への固形殺菌剤の吸引に係る吸引機等の部材を、交換されないアダプタに設けることができ、交換される容器本体自体は、貯蔵機能のみをもつ単純な容器として形成でき、容器本体を容易に交換することができる。
【００２０】
本発明において、固形殺菌剤貯蔵装置は、吸引機がアダプタに取り付けられているようにすることができる。
【００２１】
本発明において、吸引機は、排気フィルタが設けられていることが好ましい。こうすることで、吸引機から排出される排気に含まれる微粉状の固形殺菌剤を捕集して、固形殺菌剤が大気へ放散されることを防止できる。
【００２２】
本発明において、固形殺菌剤の溶解装置は、さらに制御装置を有し、該制御装置は温度計からの測定値を受け、該測定値が所定温度よりも高いときに、開閉弁を開とし吸引機により貯蔵容器へホッパ内の固形殺菌剤を吸引し抜き出すこととする。このような制御装置を備えていると、ホッパ内の固形殺菌剤の温度が所定温度よりも高くなるときに、ホッパから固形殺菌剤を自動的かつ確実に抜き出すことができる。
【００２３】
＜固形殺菌剤溶解方法＞
固形殺菌剤を収容するホッパからフィーダで該固形殺菌剤を切り出し、切り出された固形殺菌剤と清水供給ラインからの清水とを混合槽で混合して混合液を生成する固形殺菌剤の溶解方法において、
ホッパ内の固形殺菌剤の温度を温度計で測定し、測定値が所定温度よりも高いときに、上記ホッパと貯蔵容器とを接続する抜出管に設けられた開閉弁を開とするとともに吸引機で上記ホッパから固形殺菌剤の一部を吸引抜き出して貯蔵容器に貯蔵する、
ことを特徴とする固形殺菌剤の溶解方法。
【発明の効果】
【００２４】
本発明は、以上のように、固形殺菌剤を収容するホッパ内の固形殺菌剤の温度を測定して、測定値が所定温度より高くなったとき、ホッパ内の固形殺菌剤の一部を抜き出して貯蔵容器へ貯蔵することとしたので、ホッパ内の固形殺菌剤はその収容量が減少することにより、放熱が進んで、上記所定温度より低い温度に収まり、固形殺菌剤の上記所定温度より高い温度まで昇温してしまって火災や有害ガスを発生することを未然に防止できる。貯蔵容器に抜き出した固形殺菌剤は、湿度のない涼しい環境で放熱するとともに、非接触の温度計などで温度を監視して、発熱が収まらない場合には大量の水に溶解後、還元剤を加えて還元処理を行う。
【図面の簡単な説明】
【００２５】
【図１】本発明の一実施形態に係る固形殺菌剤の溶解装置の構成図である。
【図２】水分を含んだ固形殺菌剤の保存状態での殺菌剤温度の経時変化を示す図である。
【発明を実施するための形態】
【００２６】
以下、添付図面にもとづき、本発明の実施形態を詳細に説明する。いうまでもなく、本発明は、図示された実施の形態に限定されない。
【００２７】
本実施形態に係る固形殺菌剤の溶解装置１（以下、「殺菌剤溶解装置１」という）は、船舶（図示せず）に搭載されるバラスト水処理装置（図示せず）に設けられている。殺菌剤溶解装置１は、固形殺菌剤を清水に溶解して塩素系殺菌剤としての殺菌剤溶解液（殺菌剤水溶液）を生成し、船舶に取水されたバラスト水としての海水に該殺菌剤溶解液を供給する。すなわち、本実施形態では、殺菌剤溶解装置１は、バラスト水に該殺菌剤溶解液を供給する殺菌剤供給装置としても機能する。
【００２８】
図１は、本実施形態に係る殺菌剤溶解装置１の構成図である。本実施形態では、図１に見られる殺菌剤溶解装置１は、固形殺菌剤と清水を混合して混合液を生成する混合液生成装置１Ａと、該混合液生成装置１Ａのホッパから固形殺菌剤の一部を抜き出して貯蔵する固形殺菌剤貯蔵装置１Ｂと、該混合液生成装置１Ａで生成された混合液を循環させて殺菌剤溶解液を生成する殺菌剤溶解液生成装置１Ｃとに大別される。
【００２９】
混合液生成装置１Ａは、固形殺菌剤を収容するホッパ２と、該ホッパ２から固形殺菌剤を切り出して供給するフィーダ３と、フィーダ３からの固形殺菌剤および清水を貯留する清水タンク（図示せず）からの清水を受けて該固形殺菌剤と清水を混合して混合液を生成する混合槽４と、フィーダ３と混合槽４とを接続する払出管５と、該払出管５に設けられた開閉弁としての第一弁６とを有している。上記ホッパ２には、該ホッパ２内の固形殺菌剤の温度を測定する温度計２Ａが設けられており、また、上記混合槽４には、槽内の固形殺菌剤と清水とを混合するための攪拌機７が設けられている。
【００３０】
上記フィーダ３は、ホッパ２の下端に設けられており、ホッパから固形殺菌剤を受け、これを一定量切り出す。該フィーダ３は、例えば、ロータリバルブやスクリューフィーダ等によって構成される。該フィーダ３により切り出された固形殺菌剤は払出管５を通過して混合槽４へ供給される。固形殺菌剤の供給およびその停止は第一弁６の開閉によって切り換えられる。清水タンクからの清水は、清水ポンプ（図示せず）の駆動により送出され、清水供給ライン８を流通して混合槽４へ供給される。清水の供給およびその停止は清水供給ライン８に設けられた弁（図示せず）の開閉によって切り換えられる。かくして、混合槽４は、フィーダ３により切り出された固形殺菌剤および清水タンクからの清水を受けて、固形殺菌剤と清水とを混合して混合液を生成する。
【００３１】
固形殺菌剤貯蔵装置１Ｂは、ホッパ２内の固形殺菌剤が所定温度よりも高い状態となったときに、この固形殺菌剤の一部をホッパ２から抜き出し貯蔵するための装置であり、抜き出された固形殺菌剤を貯蔵する貯蔵容器９と、該貯蔵容器９とホッパ２とを接続する抜出管１０と、該抜出管１０に設けられた開閉弁としての第二弁１１と、上記温度計２Ａからの測定値情報を受け該第二弁１１の開閉を制御する制御装置１２とを有している。該制御装置１２は、好ましい形態として設けられているが、本発明では必須ではない。
【００３２】
貯蔵容器９は、容器本体９Ａと、該容器本体９Ａの蓋部を形成するとともに、吸引機１３が取り付けられているアダプタ９Ｂとを有している。第二弁１１が設けられている抜出管１０は、上端がホッパ２内に進入していて該ホッパ２の底部域が開口しており、下端が上記アダプタ９Ｂに接続されている。該アダプタ９Ｂは、容器本体９Ａに対し気密性をもって該容器本体９Ａに取り付けられており、また、容器本体９Ａに対し取り外し可能である。容器本体９Ａは空の他の容器本体９Ａ−１と交換自在となっている。上記アダプタ９Ｂに取り付けられている吸引機１３としてはエジェクタ式吸引機、真空ポンプ、真空ブロワ等を用いることができる。吸引機１３には、排気フィルタ１４が設けられていて、排気に含まれる微粉状の固形殺菌剤を捕集する。
【００３３】
殺菌剤溶解液生成装置１Ｃは、図１にてその構成を図示していないが、上記混合液生成装置１Ａから混合液を受け、この混合液に固形殺菌剤の未溶解分が残らないように、混合液を循環ラインで循環させるようになっており、固形殺菌剤がほぼ完全に溶解した状態で殺菌剤溶解液をバラスト水配管内のバラスト水へ注入するようになっている。
【００３４】
次に、このような構成の本実施形態の殺菌剤溶解装置１の作動を説明する。殺菌剤溶解装置１では、まず、清水ポンプの駆動により清水タンクの清水を清水供給ライン８で混合槽４へ供給するとともに、ホッパ２内の固形殺菌剤をフィーダ３で所定量だけ切り出して払出管５を経て混合槽４へ供給する。この結果、混合槽４内では、清水と固形殺菌剤が攪拌機７により攪拌されて混合されることで混合液が生成される。
【００３５】
ホッパ２内に収容されている固形殺菌剤は、既述したように、常温、乾燥状態では安定しているが、少量の水と接触して反応したり、高温にさらされたりすると、反応熱が蓄積され、火災や有害ガス発生の危険性がある。また、ホッパ２のように固形殺菌剤の貯蔵量が大きいと、固形殺菌剤がホッパ２内の空気と接触する単位重量あたりの表面積が小さくなるため、反応熱の発生量が固形殺菌剤から空気への放熱量を上回り、蓄熱により火災や有害ガスの発生につながることがある。
【００３６】
さらには、図２を参照して既述したように、固形殺菌剤に水を添加して発熱現象発生からしばらくの間は内部発熱と放熱が拮抗し、温度上昇が緩やかであるが、或る温度を超えると温度上昇速度が増加し、その後は急速に温度が上昇し、高温状態の固形殺菌剤を放置しておくと、上述のような火災や有害ガス発生の危険性が出る。
【００３７】
そこで、本発明では、図１の形態で見られたように、ホッパ２内に多量に収容されている固形殺菌剤は、温度計２Ａにより、常時あるいは間欠的にその温度が測定されている。固形殺菌剤の温度の測定値情報は制御装置１２へ送られる。制御装置１２には、固形殺菌剤についての許容上限温度を所定温度として設定していて、上記測定値がこの所定温度と比較し、固形殺菌剤の温度が該所定温度よりも高いと判断したときには、第二弁１１に対して該第二弁１１を開とする指令を発する。
【００３８】
貯蔵容器９のアダプタ９Ｂに取り付けられている吸引機１３は、常時もしくは上記制御装置１２が第二弁１１を開とする指令を発したときに、作動して上記貯蔵容器９内の圧力をホッパ２内の圧力に対して負圧とする。その結果、ホッパ２内の固形殺菌剤の一部は、上記負圧によりホッパ２から抜き出され貯蔵容器９内に貯蔵される。
【００３９】
ホッパ２内の固形殺菌剤は、下層では反応熱を蓄熱して昇温しており、一方上層ではホッパ２内の大気と接触して放熱しているので、上層は下層よりも低い温度となっている。本実施形態では、抜出管１０はホッパ２の底部域で開口しているので、昇温している下層から上層よりも優先的に固形殺菌剤をホッパ２外へ抜き出しすることとなり、固形殺菌剤層全体としては降温する。さらに、層全体の量が減少するので、放熱も促進されることとなり、この点でも降温傾向をもつようになる。かかる状態でも、温度計２Ａの測定値が依然として所定温度よりも高いときには、固形殺菌剤の抜き出しは続行され、測定値が所定温度よりも低くなったときには、制御装置１２の指令にもとづき、第二弁１１を閉として上記抜き出しは停止する。
【００４０】
ホッパ２から抜き出された固形殺菌剤は、貯蔵容器９に貯蔵され、容器本体９Ａが所定の貯蔵量となった時点で、該容器本体９Ａは待機中の空の他の容器本体９Ａ−１と交換され、固形殺菌剤は他の容器本体９Ａ−１に貯蔵され、この操作を繰り返しホッパ２から固形殺菌剤が抜き出される。固形殺菌剤を所定の貯蔵量だけ貯蔵している上記容器本体９Ａは、もともと空の状態のときに常温であって抜き出された固形殺菌剤よりも低温であること、貯蔵容器９の貯蔵容積がホッパ２の収容容積よりも小さいことに起因して、ホッパ２からの抜き出し時に昇温状態にあった固形殺菌剤は、上記貯蔵容器９へ貯蔵されると、放熱により次第に降温する。かくして降温状態の固形殺菌剤は、例えば、ホッパ２へ戻され、あるいは、そのまま容器本体９Ａに貯蔵して次の使用時にまで待機して保存される。降温しない場合には、安全を鑑みて固体殺菌剤を大量の水で溶解し、還元剤を加えて還元処理を行った後、適切に処分する。
【００４１】
既述したように、本実施形態に係る殺菌剤溶解装置１は、例えば、船舶に搭載されたバラスト水処理装置（図示せず）に設けられる。以下、バラスト水処理装置の構成および作動を説明する。該バラスト水処理装置は、殺菌剤溶解装置１で生成された殺菌剤溶解液を、該殺菌剤溶解装置１の殺菌剤溶解液生成装置１Ｃから、船舶に取水されたバラスト水に供給することによりバラスト水中の細菌を殺菌する。
【００４２】
バラスト水処理装置では、船体に設けられたシーチェストとバラストタンクとがバラスト水配管で接続されており、該シーチェストから取水された海水がバラスト水配管を流通してバラスト水としてバラストタンクに漲水されるようになっている。該バラスト水配管には、海水をバラストタンクへ向け送水するためのバラストポンプと、海水中の異物やプランクトンを濾過除去するための濾過装置、濾過後の海水に殺菌剤溶解装置１から供給された殺菌剤溶解液を混合するための混合器が設けられている。バラスト水配管には、バラスト水配管内を流通するバラスト水へ殺菌剤溶解装置１からの殺菌剤溶解液を注入するための殺菌剤注入口が、濾過装置と混合器との間に設けられている。
【００４３】
このような構成のバラスト水処理装置において、バラストポンプを運転すると、シーチェストを経て船外からバラスト水として海水が取水されてバラスト水配管を流れ、該バラスト水は、濾過装置へもたらされ、ここで海水中の異物やプランクトンが濾過除去される。濾過後のバラスト水は混合器へ向かう。
【００４４】
上記バラストポンプの運転と同時あるいはその後に、殺菌剤溶解装置１の殺菌剤溶解液生成装置１Ｃとバラスト配管を接続している殺菌剤供給ラインに設けられた殺菌剤ポンプを運転し、殺菌剤供給ラインから、バラスト水配管を流通するバラスト水に、殺菌剤溶解装置１で生成された殺菌剤溶解液を供給して、バラスト水中の細菌を殺菌する。殺菌剤溶解液は混合器にてバラスト水に混合されて、殺菌が良好に行われる。かくして、殺菌済のバラスト水がバラスト水配管を経てバラストタンクへ送られここに漲水される。
【００４５】
本発明では、好ましい形態として制御装置を設けたが、これは必須ではなく、制御装置のない場合には、温度計の測定値が所定温度よりも高くなったときには、例えば、警報を発信してこの警報を受けて、手作業で固形殺菌剤をホッパから抜き出し貯蔵容器に貯蔵し、さらに貯蔵容器本体を交換して貯蔵することとしてもよい。
【符号の説明】
【００４６】
１  殺菌剤溶解装置（固形殺菌剤の溶解装置）
１Ｂ  固形殺菌剤貯蔵装置
２  ホッパ
２Ａ  温度計
３  フィーダ
４  混合槽
８  清水供給ライン
９  貯蔵容器
９Ａ  容器本体
１０  抜出管
１１  開閉弁（第二弁）
１２  制御装置
１３  吸引機
１４  フィルタ
【図１】
2019076821.tif 000003
【図２】
2019076821.tif 000004